(57)【要約】【課題】各端末装置がＣＡＥ解析の操作内容をログとして履歴化し、そのログだけをコマンドとして送信することで、通信の負荷を軽減する。【解決手段】ＣＡＥ解析の解析手順がプログラムとして格納されている複数台の端末装置１０が通信ネットワークＮを介して相互に接続され、各端末装置１０は、一つの解析対象物に対し通信ネットワークＮを通じて同時にＣＡＥ解析の解析手順を実行するように構成されており、各端末装置１０は、自装置で実行した解析操作内容をログとして履歴化して内部の履歴メモリ部６４に保存するとともに、ＣＡＥ解析の解析手順の実行時には履歴メモリ部６４から必要なログを読み出し、これをコマンドとして他の端末装置に送信し、他の端末装置１０は、送信されてきたログコマンドを履歴メモリ部に保存するとともに、自装置のログとして解析操作を実行する。【選択図】図１
2007304690.tif 000002
【特許請求の範囲】
【請求項１】
各種作業手順がプログラムとして格納されている複数台の端末装置が通信ネットワークを介して相互に接続されており、前記各端末装置は、各端末装置からの個別の入力により、一つの対象物に対し前記通信ネットワークを通じて並行して前記作業手順を実行するように構成されたコンピュータ支援によるナビゲーションシステムにおいて、
前記各端末装置は、自装置で実行した作業操作内容をログとして履歴化して内部の履歴メモリ部に保存するとともに、前記作業手順の実行時には前記履歴メモリ部から必要なログを読み出し、これをコマンドとして他の端末装置に送信し、
前記他の端末装置は、送信されてきたログコマンドを履歴メモリ部に保存するとともに、自装置のログとして作業操作を実行することを特徴とするコンピュータ支援によるナビゲーションシステム。
【請求項２】
ＣＡＥ解析の解析手順がプログラムとして格納されている複数台の端末装置が通信ネットワークを介して相互に接続されており、前記各端末装置は、各端末装置からの個別の入力により、一つの解析対象物に対し前記通信ネットワークを通じて並行してＣＡＥ解析の解析手順を実行するように構成されたＣＡＥ解析ナビゲーションシステムにおいて、
前記各端末装置は、自装置で実行した解析操作内容をログとして履歴化して内部の履歴メモリ部に保存するとともに、ＣＡＥ解析の解析手順の実行時には前記履歴メモリ部から必要なログを読み出し、これをコマンドとして他の端末装置に送信し、
前記他の端末装置は、送信されてきたログコマンドを履歴メモリ部に保存するとともに、自装置のログとして解析操作を実行することを特徴とするＣＡＥ解析ナビゲーションシステム。
【請求項３】
前記各端末装置は、操作権限の設定及び解除が可能に設けられており、任意の端末装置が操作権限を設定した場合には、当該端末装置のみログコマンドの送信が可能となり、他の端末装置はログコマンドの送信が禁止されることを特徴とする請求項２に記載のＣＡＥ解析ナビゲーションシステム。
【請求項４】
複数台の端末装置が通信ネットワークを介して相互に接続され、前記各端末装置は、各端末装置からの個別の入力により、一つの解析対象物に対し前記通信ネットワークを通じて並行してＣＡＥ解析の解析ステップを実行するように構成されたＣＡＥ解析ナビゲーションシステムにおける前記各端末装置に搭載されているＣＡＥ解析プログラムであって、
前記解析ステップに従って実行した解析操作内容をログとして履歴化して履歴メモリ部に保存するステップと、
前記履歴メモリ部から必要なログを読み出し、これをログコマンドとして他の端末装置に送信するステップと
送信されてきたログコマンドを前記履歴メモリ部に保存するステップと
前記履歴メモリ部に保存した送信されてきたログコマンドを自装置のログとして解析操作を実行するステップと、をコンピュータに実行させるためのＣＡＥ解析プログラム。
【発明の詳細な説明】
【技術分野】
【０００１】
本発明はコンピュータ支援によるナビゲーションシステムに係り、例えば、製品の強度や剛性等の品質を評価するためのコンピュータシミュレーションの分野、及び図面品質向上のために設計を検討するコンピュータシミュレーションの分野において利用される、ＣＡＥ解析ナビゲーションシステム及びＣＡＥ解析プログラムに関する。
【背景技術】
【０００２】
種々の製品の設計においてＣＡＥ解析の技術を利用する場合、従来は、解析の専門家が複雑な強度計算等を行って製品を設計していた。すなわち、ＣＡＥ解析では、微分方程式で表現される物理法則をベースとしているため、ユーザに微分方程式の理解と数値解析に必然的に要求される数学的な約束ごとの理解とが要求されるので、誰でもが簡単にＣＡＥ解析を行えるものではなかった。
【０００３】
そこで、本出願人は、このような問題を解決したＣＡＥ解析ナビゲーションシステムをすでに提案している（例えば、特許文献１参照）。このＣＡＥ解析ナビゲーションシステムは、ＣＡＥ解析の解析手順がプログラムとして格納されている複数台の端末装置を通信ネットワークを介して接続したシステムであって、前記各端末装置は、各端末装置からの個別の入力により、一つの解析対象物に対し前記通信ネットワークを通じて並行かつ連係してＣＡＥ解析の解析手順を実行するとともに、相互に解析作業のサポートを行うサポート機能を備えた構成となっている。これにより、一つの解析対象物のＣＡＥ解析作業を各端末装置で分担することができる。
【０００４】
例えば、解析対象物のモデル形状の作成のみを端末装置Ａの作業者が担当し、その後の各種定義及び条件設定等を端末装置Ｂの作業者が担当し、解析は、端末装置ＡまたはＢの作業者が、解析の実行の指令を出すことにより、端末装置Ａ，Ｂの双方で解析が実行され、作業者はそれぞれの端末装置Ａ，Ｂで解析結果を参照する、といった作業分担が可能となる。すなわち、複数台の端末装置で同じ解析対象物のＣＡＥ解析をリアルタイムに共有することで、ＣＡＥ解析のさらなる汎用性や、より柔軟な使用形態を可能としたものである。
【特許文献１】特開２００５−２７６１５１号公報
【発明の開示】
【発明が解決しようとする課題】
【０００５】
上記特許文献１記載のＣＡＥ解析ナビゲーションシステムによれば、一つの解析対象物のＣＡＥ解析作業の各ステップを、それぞれの得意分野に応じて各端末装置で分担することができる。この場合、一つの作業ステップを担当した端末装置から他の端末装置にその作業内容の情報を送信することで、他の端末装置においてもその同じ作業ステップを共有することができる。
【０００６】
しかしながら、例えばこのような一つの解析対象物のＣＡＥ解析作業を、途中の作業ステップから参加する場合には、それまでの作業内容を任意の端末装置から送信してもらう必要がある。例えば、ＣＡＥ解析手順が、解析対象モデルの作成ステップと、メッシュ分割ステップと、材料選択ステップと、解析内容に応じた条件を設定する条件設定ステップと、解析実行ステップとからなる場合において、新たな端末装置が条件設定ステップから参加しようとした場合、それまでのメッシュ分割データや材料選択データをシステムに参加している他の端末装置から送信してもらう必要がある。この場合、他の端末装置は、解析対象モデルをメッシュ分割したメッシュデータと選択した材料データとを送信する必要があるため、通信の負荷が重くなるといった問題があった。また、これらのデータを他の端末装置のユーザが手動操作等によって送信する必要があるため、ユーザにとっても煩雑な作業が増えてしまうといった問題もあった。
【０００７】
本発明はかかる問題点を解決すべく創案されたもので、その目的は、各端末装置がＣＡＥ解析の操作内容をログとして履歴化し、そのログだけをコマンドとして送信する構成とすることで、通信の負荷を軽減するとともに、ファイルとして残っている履歴を他の端末装置に送信することで、例えば途中参加の端末装置においても簡単に同期をとることのできるコンピュータ支援によるナビゲーションシステム、特に、ＣＡＥ解析ナビゲーションシステム及びＣＡＥ解析プログラムを提供することにある。
【課題を解決するための手段】
【０００８】
上記目的を達成するため、本発明のコンピュータ支援によるナビゲーションシステムは、各種作業手順がプログラムとして格納されている複数台の端末装置が通信ネットワークを介して相互に接続されており、前記各端末装置は、各端末装置からの個別の入力により、一つの対象物に対し前記通信ネットワークを通じて並行して前記作業手順を実行するように構成されたコンピュータ支援によるナビゲーションシステムにおいて、前記各端末装置は、自装置で実行した作業操作内容をログとして履歴化して内部の履歴メモリ部に保存するとともに、前記作業手順の実行時には前記履歴メモリ部から必要なログを読み出し、これをコマンドとして他の端末装置に送信し、前記他の端末装置は、送信されてきたログコマンドを履歴メモリ部に保存するとともに、自装置のログとして作業操作を実行することを特徴とする。
【０００９】
また、本発明のＣＡＥ解析ナビゲーションシステムは、ＣＡＥ解析の解析手順がプログラムとして格納されている複数台の端末装置が通信ネットワークを介して相互に接続されており、前記各端末装置は、各端末装置からの個別の入力により、一つの解析対象物に対し前記通信ネットワークを通じて並行してＣＡＥ解析の解析手順を実行するように構成されたＣＡＥ解析ナビゲーションシステムにおいて、前記各端末装置は、自装置で実行した解析操作内容をログとして履歴化して内部の履歴メモリ部に保存するとともに、ＣＡＥ解析の解析手順の実行時には前記履歴メモリ部から必要なログを読み出し、これをコマンドとして他の端末装置に送信し、前記他の端末装置は、送信されてきたログコマンドを履歴メモリ部に保存するとともに、自装置のログとして解析操作を実行することを特徴とする。
【００１０】
本発明によれば、一つの解析対象物に対し通信ネットワークを通じて並行して（同時に）ＣＡＥ解析の解析手順を実行する同時作業環境が実現されている。同時作業環境とは、イントラネット（またはインターネット）が繋がった例えば３台の端末装置１０Ａ，１０Ｂ，１０Ｃで基本となる共通ソフトを起動し、いずれかの端末装置で動作させた共通ソフトの動きを他の端末装置でも通信環境を使って同期をとることである。
【００１１】
この場合、通信手法として、本発明ではＣＡＥ解析の各操作をログとして履歴化して履歴メモリ部に保存するとともに、そのログだけをコマンドとして他の端末装置に送信し、そのコマンドを元に他の端末装置では自装置のログとして操作を復元するようになっている。このような通信手法を用いると以下のメリットがある。（１）モデルそのものではなくログを送信することで、通信の負荷が軽減される。（２）共通ソフトのログを送信するため、この共通ソフト上で動作する種々の解析ソフトが端末装置間で異なっていても、同じ動作をさせることができる。（３）履歴をコマンドとして送信するため、リアルタイムに同期をとるだけでなく、ファイルとして残っている履歴を他の端末装置に送信することで、他の端末装置においても同期をとることができる。
【００１２】
また、このような同時作業環境にあっては、各端末装置が各々の操作によってコマンドを互いに送信することが可能であり、このような相互通信によって操作の混乱をきたす可能性もある。
【００１３】
そこで、本発明のＣＡＥ解析ナビゲーションシステムでは、前記各端末装置は、操作権限の設定及び解除が可能に設けられており、任意の端末装置が操作権限を設定した場合には、当該端末装置のみログコマンドの送信が可能となり、他の端末装置はログコマンドの送信が禁止されるようになっている。すなわち、通信部分に操作権限を持たせ、操作可能端末のみがコマンド発行（送信）できる機能を付加している。この場合、他の端末装置からのコマンドは発行（送信）されず、操作権限を持った端末装置のみが他の端末装置にコマンドを発行（送信）することができる。これにより、操作の混乱を回避することができる。
【００１４】
なお、この操作権限を他の端末装置に切り替える機能及び操作権限を解除する機能を付加してもよい。操作権限を解除した場合には、上記の操作の混乱をきたす可能性があるが、逆に、相互通信を可能とすることで、より柔軟な対応が可能になるといったメリットもある。
【００１５】
また、本発明のＣＡＥ解析プログラムは、複数台の端末装置が通信ネットワークを介して相互に接続され、前記各端末装置は、各端末装置からの個別の入力により、一つの解析対象物に対し前記通信ネットワークを通じて並行してＣＡＥ解析の解析ステップを実行するように構成されたＣＡＥ解析ナビゲーションシステムにおける前記各端末装置に搭載されているＣＡＥ解析プログラムであって、前記解析ステップに従って実行した解析操作内容をログとして履歴化して履歴メモリ部に保存するステップと、前記履歴メモリ部から必要なログを読み出し、これをログコマンドとして他の端末装置に送信するステップと、送信されてきたログコマンドを前記履歴メモリ部に保存するステップと、前記履歴メモリ部に保存した送信されてきたログコマンドを自装置のログとして解析操作を実行するステップと、をコンピュータに実行させるものである。
【００１６】
なお、本発明のＣＡＥ解析プログラムは、例えばＦＤ（フレキシブルディスク）やＨＤ（ハードディスク）等の磁気ディスク系、ＣＤ−ＲＯＭ／ＭＯ／ＭＤ／ＤＶＤ等の光ディスク系、ＩＣカード／光カード等のカード系、マスクＲＯＭ、ＥＰＲＯＭ、ＥＥＰＲＯＭ、フラッシュＲＯＭ等による半導体メモリ系などの各種記録媒体に格納して提供することができる。
【発明の効果】
【００１７】
本発明によれば、各操作をログとして履歴化して履歴メモリ部に保存するとともに、そのログだけをコマンドとして他の端末装置に送信し、そのコマンドを元に他の端末装置では自装置のログとして操作を復元する構成としたので、モデルそのものではなくログを送信することで、通信の負荷が軽減される、共通ソフトのログを送信することで、この共通ソフト上で動作する種々の解析ソフトが端末装置間で異なっていても、同じ動作をさせることができる、ファイルとして残っている履歴を他の端末装置に送信することで、例えば途中から参加した他の端末装置においても簡単に同期をとることができる、といった種々の効果を奏するものである。
【発明を実施するための最良の形態】
【００１８】
以下、本発明の実施の形態について、図面を参照して説明する。
【００１９】
まず、本発明に係わるＣＡＥ解析ナビゲーションシステムの基本構成及び基本動作について説明する。
【００２０】
＜ＣＡＥ解析ナビゲーションシステムの基本構成の説明＞
図１は、本実施形態に係わるＣＡＥ解析ナビゲーションシステムのシステム構成を示すイメージ図である。本実施形態のＣＡＥ解析ナビゲーションシステムは、ＣＡＥ解析の解析手順がプログラムとして格納されている複数台の端末装置１０（１０Ａ、１０Ｂ、１０Ｃ，１０Ｄ，・・・）が通信ネットワークＮを介して相互に接続された構成となっている。
【００２１】
図２は、図１に示すＣＡＥ解析ナビゲーションシステムにおける端末装置１０の一実施形態を概念的に示したブロック図である。
【００２２】
この端末装置１０は、大別すると、対象物の解析手順画面や解析ノウハウ画面を表示する表示部１と、表示部１に表示された解析手順画面の中の任意の項目を操作する際に用いられるマウスやキーボード等からなる入力部２と、この入力部２の操作に従って、各解析手順画面を表示部１に順次表示させるための解析手順画面表示プログラム、及び表示部１に表示される各解析手順画面の中の任意の項目を入力部２によって操作することにより、その項目に対応した解析ノウハウ画面を表示部１に表示させるための解析ノウハウ画面表示プログラムを格納した画面表示プログラム格納部３と、表示部１に表示された解析ノウハウ画面に記述された特定の対象物の解析ノウハウを格納する解析ノウハウ格納部４と、入力部２から入力された情報に従って解析を行う解析計算処理部（解析ソルバー）５と、これら各部の制御や演算処理を行うプリポスト６及び対話型制御部８と、通信ネットワークＮを介して他の端末装置１０と相互に接続するためのネットワークインターフェース（ネットワークＩ／Ｆ）７とを備えている。
【００２３】
プリポスト６は、演算部６１と、解析情報ファイル部６２と、解析結果ファイル部６３と、履歴メモリ部６４とを備えている。演算部６１は、実際の解析に際して要素の形状や要素分割を計算する部分であり、解析情報ファイル部６２は、各入力画面に従って入力部２または３次元ＣＡＤデータより入力された解析対象物の情報を蓄積するための部分であり、解析結果ファイル部６３は解析結果を蓄積する部分である。履歴メモリ部６４は、自装置で実行した解析操作内容をログとして履歴化して保存するとともに、他の端末装置から送信されてきた解析操作内容のログコマンドを保存する部分である。
【００２４】
対話型制御部８は、解析の各種対象物について共通に適用される汎用解析手順プログラムを格納した汎用解析手順ファイル部８１と解析ノウハウ入出力部８２とを備えている。
【００２５】
解析計算処理部５は、プリポスト６の解析情報ファイル部６２に基づいて、特定の対象物の解析計算処理を実行する。そのため、図示は省略しているが、対象物の解析を行う解析ソルバーと呼ばれる各種解析ソフト（構造解析、熱伝導解析、流動解析、磁場解析、衝
撃解析、振動解析、・・・、等のソフト）を具備している。
【００２６】
対話型制御部８は、解析実行時には、画面表示プログラム格納部３に格納されたプログラムに従い、表示部１に解析情報入力画面を順次表示させる処理を実行し、その入力画面中に入力された解析情報をプリポリス６の解析情報ファイル部６２に蓄積する処理を実行する。また、解析情報ファイル部６２に蓄積された解析情報に基づき、解析計算処理部５により実行された対象物の解析結果を解析結果ファイル部６３に蓄積する処理を実行する。ただし、解析ノウハウ画面に関しては、本発明の要部ではないので、本明細書では説明を省略する。
【００２７】
また、対話型制御部８は、各端末装置１０の入力部２からの個別の入力により、一つの解析対象物に対し通信ネットワークＮ及びネットワークＩ／Ｆ７を通じて同時に（並行して）かつ連係してＣＡＥ解析の解析手順を実行するとともに、相互に解析作業のサポートを行うサポート機能を備えている。サポート機能は、音声情報、文字情報、動画を含む画像情報のうちの少なくとも一つの情報を含んでいる。例えば、文字情報を扱う電子掲示板などがサポート機能として利用される。
【００２８】
なお、上記実施形態では、解析の各種対象物について共通に適用される汎用解析手順プログラムを格納した汎用解析手順ファイル部８１が対話型制御部８に格納されているが、この汎用解析手順ファイル部８１は、図１に破線で接続するように、通信ネットワークＮ上に配置されたホストコンピュータ９に格納されていてもよい。この場合、各端末装置１０は、解析実行時にホストコンピュータ９に接続して、汎用解析手順プログラムをインストールする。解析実行後は必要に応じてアンインストールすればよい。
【００２９】
図３は、入力部２による入力操作に従い、画面表示プログラム格納部３に格納されている入力画面表示プログラムに従って表示部１に順次表示される解析対象物の形状モデルを表示するモデル画面１００と解析手順を表示するメニュー画面２００との基本的配置構成例を示している。基本的には、モデル画面１００の右側に各種同時表示画面２００が並んだ形で配置されている。
【００３０】
同時作業画面２００は、基本的に３段構成となっており、上段が、どの段階まで解析手順の操作が進んだかを表示するステップ表示窓２０１、中段が、解析手順の内容を表示するための表示窓（ナビゲーションウィンドウ）２０２、下段が、各種の数値や文字等を入力する入力窓２０３となっている。
【００３１】
また、図４は、モデル画面１００とメニュー画面２００との他の配置構成例を示している。各作業手順のステップをツリービューで表示するように構成している。すなわち、図４に示すように、ツリー構造を含むメニュー画面２００を透過ウィンドウ（または半透過ウィンドウ）として、表示部１の画面全体に拡大表示したモデル画面１００上の任意の位置に重畳して表示可能に設けている。このようにすると、メニュー画面２００によってモデル画面１００に表示されている３次元モデルがメニュー画面２００によって遮られるといったことがなく、３次元モデルを拡大表示した状態で各種の作業を行うことができる。
【００３２】
ここで、汎用解析手順プログラムは、データベースを開くステップから始まり、形状作成ステップ、メッシュ分割ステップ、材料特性値の設定ステップ、解析内容に応じた条件の設定ステップ、解析実行ステップ、結果表示ステップ、の各ステップ（手順）からなっている。また、本実施形態では、通信ネットワークＮを介して複数台の端末装置１０Ａ，１０Ｂ，１０Ｃ，１０Ｄが相互に接続可能となっていることから、上記各ステップでの処理を端末装置間で共有するために他の端末装置に対して各ステップでの処理情報を送信する情報送信ステップと、他の端末装置から送信されてきた処理情報を自らの処理に反映させる編集ステップとを備えている。
【００３３】
次に、上記構成のＣＡＥ解析ナビゲーションシステムによるＣＡＥ解析の基本動作について簡単に説明し、その次に、本実施形態に係わるＣＡＥ解析の処理動作について説明する。
【００３４】
＜ＣＡＥ解析の基本動作の説明＞
まず、作業者は、本装置を立ち上げて表示部１に図５に示す初期画面２００Ａを表示し、ナビゲーションウィンドウ２０２の中の「新しいＣＡＥを開始する」または「途中のＣＡＥを再開する」のいずれかを選択する。ここでは、「新しいＣＡＥを開始する」が選択されたものとする。なお、「途中のＣＡＥを再開する」が選択された場合には、すでに解析を行っている既存のモデリングデータベースを開くようになっている。
【００３５】
「新しいＣＡＥを開始する」が選択されると、対話型制御部８は、画面表示プログラム格納部３に格納されている画面表示プログラムを起動し、表示部１に図６に示す解析種類選択画面２００Ｂを表示する。作業者は、この解析種類選択画面２００Ｂのナビゲーションウィンドウ２０２に表示されている内容から、今回使用する解析の種類を選択する。具体的には、ナビゲーションウィンドウ２０２に表示されている各項目のアイコン部分にカーソルを移動させてクリックすることにより、いずれかの解析種類を選択することができる。ここでは、「線形強度解析」が選択されたとする。
【００３６】
これにより、表示部１には、図７に示すケース数入力画面２００Ｃが表示される。
【００３７】
次に、作業者は、このケース数入力画面２００Ｃの選択入力窓２０３に、境界条件のケース数を入力し、次に適用ボタン２０４をマウス等でクリックすることにより、境界条件のケース数が決定される。これにより、表示部１には、図７に示す解析手順表示画面２００Ｄが表示される。ただし、図８は、構造解析の場合の解析手順を例示している。
【００３８】
この時点で表示されている解析手順表示画面２００Ｄのナビゲーションウィンドウ２０２には、解析手順を示す各ステップのうち、次に形状作成のステップを選択するように指示する内容が表示されている。具体的には、処理を終了しているナビゲーションのステップが反転色となっており、形状作成のステップの横に矢印が付与されている。作業者は、この指示に従い、ステップ表示窓２０１の形状作成をマウス等でクリックすることにより、表示部１には、図９に示す解析モデル選択画面２００Ｅが表示される。
【００３９】
次に、作業者は、この解析モデル選択画面２００Ｅのナビゲーションウィンドウ２０２に表示されている２種類の解析モデルから、１つの解析モデルを選択する。具体的には、各項目の左側に表示されているアイコン部分にカーソルを移動させてマウス等でクリックすることにより、解析モデルが選択される。ここで、「３次元シェルモデル」が選択されたとすると、表示部１には、図１０に示す形状作成画面２００Ｆが表示される。
【００４０】
次に、作業者は、この形状作成画面２００Ｆのナビゲーションウィンドウ２０２に表示されている２種類の方法から、１つの形状作成方法を選択する。具体的には、各項目の左側に表示されているアイコン部分にカーソルを移動させてマウス等でクリックすることにより、形状作成方法が選択される。ここで、「ＣＡＤファイルを読み込む」が選択されたとすると、表示部１には、図１１に示すＣＡＤファイル選択画面２００Ｇが表示される。
【００４１】
次に、作業者は、このＣＡＤファイル選択画面２００Ｇのナビゲーションウィンドウ２０２に表示されている２種類のＣＡＤファイルから、１つのＣＡＤファイルを選択する。具体的には、各項目の左側に表示されているアイコン部分にカーソルを移動させてマウス等でクリックすることにより、形状作成方法が選択される。ここで、「ＩＧＥＳ」が選択されたとすると、表示部１には、図１２に示すＣＡＤファイル選択画面２００Ｈが表示される。
【００４２】
次に、作業者は、このＣＡＤファイル選択画面２００Ｈのナビゲーションウィンドウ２０２に表示された説明内容に従い、入力窓２０３にトレランスを入力し、適用ボタン２０４をマウス等でクリックすると、表示部１には、図１３に示すＣＡＤファイル選択画面２００Ｉが表示される。
【００４３】
次に、作業者は、このＣＡＤファイル選択画面２００Ｉのナビゲーションウィンドウ２０２に表示されている説明内容に従い、入力窓２０３の上部に表示されているファイルから１つのファイルを選択し、適用ボタン２０４をマウス等でクリックすると、表示部１には、図１４に示すモデル形状を確認するためのモデル画面１００Ｊとモデル確認画面２００Ｊとが表示される。
【００４４】
次に、作業者は、モデル画面１００Ｊに表示された解析モデル（３次元シェルモデル）を必要に応じて視点を変更したり、表示方法を変更したり、ズームを行ったりして、目視により確認すると、ナビゲーションウィンドウ２０２に表示されている「次へ進む」と記載されたアイコンをクリックすることにより、表示部１には、図１５に示すモデル画面１００Ｋと解析手順表示画面２００Ｋとが表示される。
【００４５】
この解析手順表示画面２００Ｋは、図８に示す解析手順表示画面２００Ｄと同じであるが、ここでは、解析手順の各ステップを表示するためのナビゲーションウィンドウ２０２の表示内容が、次のメッシュ分割を選択するように指示する内容となっている。
【００４６】
図１６は、モデル画面１００Ｌとメッシュ分割確認画面２００Ｌを示している。このメッシュ分割確認画面２００Ｌは、どの段階までの入力が完了したかを表示するステップ表示窓２０１と、局所分割の有無を対話形式で確認するナビゲーションウィンドウ２０２と、ユーザ作業エリアである入力窓２０３とを含んで構成されている。
【００４７】
以後、詳細な解析手順の説明は省略するが、作業者は、メニュー画面２００に準備表示されるナビゲーション手順に従って、メッシュ分割、材料選択（材料物性値の決定）、解析内容に応じた条件の設定（例えば、構造解析では、固定条件の設定や負荷条件の設定、流動解析では成形条件の設定、熱解析では境界条件の設定等）、解析実行の各手順を実行することになる。このような解析手順自体は、本出願人がすでに出願している上記特許文献１にも開示されている。
【００４８】
以上が、本発明のＣＡＥ解析ナビゲーションシステムの基本的な処理動作の説明であるが、本発明ではこれらの解析処理を複数台の端末装置１０で作業分担しながら実行できるようにしている。以下、具体的に説明する。
【００４９】
＜本実施形態に係わるＣＡＥ解析の処理動作の実施例１の説明＞
本実施例１では、上記で説明したＣＡＥ解析の基本動作を図１に示す複数台の端末装置１０Ａ，１０Ｂ，１０Ｃ，１０Ｄによって作業分担しながら実行するのであるが、このとき、各端末装置１０Ａ，１０Ｂ，１０Ｃ，１０Ｄは、自装置で実行した解析操作内容をログとして履歴化して履歴メモリ部６４に保存するとともに、ＣＡＥ解析の解析手順の実行時には履歴メモリ部６４から必要なログを読み出し、これをコマンドとして他の端末装置に送信するようになっている。また、他の端末装置は、送信されてきたログコマンドを履歴メモリ部６４に保存するとともに、自装置のログとして解析操作を実行するようになっている。また、本実施形態では、コマンドの相互送信による混乱を避けるため、各端末装置１０Ａ，１０Ｂ，１０Ｃ，１０Ｄは、操作権限の設定及び解除が可能に設けられており、任意の端末装置が操作権限を設定した場合には、当該端末装置のみログコマンドの送信が可能となり、他の端末装置はログコマンドの送信が禁止される構成としている。
【００５０】
図１７は、モデル画面１００の画面上に表示される同時作業画面２００Ｍの構成例を示している。この同時作業画面２００Ｍは、最上部に、接続状況を確認する接続状況領域Ｍ１、操作権限を有する端末装置を表示する操作権者領域Ｍ２、操作権取得ボタンＭ３、及び操作権解除ボタンＭ４が設けられている。また、その下には、履歴メモリ部６４に保存されている（若しくはこれから保存される）操作ログ履歴を表示する設定履歴領域Ｍ５が設けられており、さらにその下に、端末装置間で送受信したメッセージ履歴を表示するチャット領域Ｍ６が設けられている。
【００５１】
事前準備として、各端末装置１０Ａ，１０Ｂ，１０Ｃ，１０Ｄには、本発明のＣＡＥ解析処理プログラムがインストールされており、同一のモデルファイルが保存されている。
【００５２】
また、各端末装置の想定状況は次の通りである。（ａ）端末装置１０Ａの作業者が最初に解析作業を開始する。（ｂ）端末装置１０Ａの作業者はメッシュ分割を得意としている。（ｃ）端末装置１０Ｂの作業者は条件設定を得意としている。（ｄ）端末装置１０Ｃの作業者は他の作業者に作業を行ってもらうとともに自らも条件設定を行う。（ｅ）端末装置１０Ｄの作業者は条件設定までの作業を行ってもらい、その後は本システムから抜けて独自に作業を行う。
【００５３】
上記の条件に従って、以下、本実施例１に係わるＣＡＥ解析の処理手順について、図１７ないし図２４に示す同時作業画面例等を参照して順次説明する。なお、図面中の各端末装置１０Ａ，１０Ｂ，１０Ｃ，１０Ｄの表記は、端末Ａ，端末Ｂ，端末Ｃ，端末Ｄのように、装置の文言と数字の１０を除いた簡略表記としている。
【００５４】
（１）同時作業環境のスタート
端末装置１０Ａの作業者は、本システムを立ち上げて、解析作業名を決定し、通信ネットワークＮに接続する。すなわち、ネットワーク上の指定解析作業に端末装置１０Ａを登録する。一方、他の端末装置１０Ｂ，１０Ｃ，１０Ｄの作業者は、端末装置１０Ａが指定している解析作業に参加する。すなわち、ネットワーク上の指定解析作業に端末装置１０Ｂ，１０Ｃ，１０Ｄを登録する。これにより、各端末装置１０Ａ，１０Ｂ，１０Ｃ，１０Ｄによる同時作業環境が確立される。
【００５５】
ここで、端末装置１０Ａの作業者は、システムの立ち上げ時に操作権限を自装置に設定し、操作権限を取得する旨の通知を他の端末装置１０Ｂ，１０Ｃ，１０Ｄに送信する。すなわち、図１８（ａ）に示す同時作業画面２００Ｎにおいて、操作権取得ボタンＭ３を操作し、チャット領域Ｍ６のメッセージ入力欄に例えば「私が操作します。」と入力して返信ボタンＭ７を操作する。
【００５６】
これにより、端末装置１０Ａの同時作業画面は例えば図１７に示すように、接続状況領域Ｍ１に「端末装置１０Ｂ接続，端末装置１０Ｃ接続，端末装置１０Ｄ接続」と表示され、操作権者領域Ｍ２に「端末装置１０Ａ操作中」と表示され、操作権取得ボタンＭ３がグレーアウト表示となって操作不可となり、操作権解除ボタンＭ４が操作可能表示となる。なお、図１８（ａ）では、グレーアウトとなっているボタンの外形を破線で示している。このことは、その後の図面においても同様である。
【００５７】
一方、他の端末装置１０Ｂ，１０Ｃ，１０Ｄの各同時作業画面には、図１８（ｂ）に端末装置１０Ｃの同時作業画面２００Ｐを代表して示すように、接続状況領域Ｍ１に「端末装置１０Ａ接続，端末装置１０Ｂ接続，端末装置１０Ｄ接続」と表示され、操作権者領域Ｍ２に「端末装置１０Ａ操作中」と表示され、操作権取得ボタンＭ３と操作権解除ボタンＭ４とがともにグレーアウト表示となって操作不可となる。また、チャット領域Ｍ６に端末装置１０Ａからのメッセージ「Ａ＞私が操作します。」が表示される。このメッセージを見た操作者は、メッセージ入力欄に例えば「お願いします。」等のメッセージを入力して返信ボタンＭ７を操作する。
【００５８】
（２）解析モデルの読み込み
端末装置１０Ａの作業者は、解析モデルを読み込む。このとき、端末装置１０Ａには、図１９（ａ）に示すように、解析モデルを読み込んだ時点で、設定履歴領域Ｍ５にモデル読み込み情報のコマンド名とコマンドが履歴として追加され、履歴メモリ部６４に保存される。そして、このモデル読み込み情報のコマンド名「［ＣＡＤデータ読み込み］［Ｐａｒａｓｏｌｉｄモデル］Ｃ：￥ｍｏｄｅｌ￥ｔｅｓｔ．ｘ-ｔ」とコマンド「ＯｐｅｎＦｉｌｅ，Ｃ：￥ｍｏｄｅｌ￥ｔｅｓｔ．ｘ-ｔ」が、指定解析作業に登録されている他の端末装置１０Ｂ，１０Ｃ，１０Ｄに送信される。各端末装置１０Ｂ，１０Ｃ，１０Ｄでは、図１９（ｂ）に端末装置１０Ｃを代表して示すように、受信したモデル読み込み情報のコマンド名とそのコマンドが設定履歴領域Ｍ５に履歴として追加され、履歴メモリ部６４に保存される。そして、このコマンドに従い、端末装置１０Ａが読み込んだモデルと同一のモデルを読み込む。因みに、図１９（ｃ）は実際にモデルが読み込まれたモデル画面１００の状態を示している。
【００５９】
（３）メッシュの作成
次に、端末装置１０Ａの作業者は、メッシュの作成を行う。このとき、端末装置１０Ａには、図２０（ａ）に示すように、メッシュを作成した時点で、設定履歴領域Ｍ５にメッシュ作成情報のコマンド名とコマンドが履歴として追加され、履歴メモリ部６４に保存される。そして、このメッシュ作成情報のコマンド名「［メッシュ作成］［平均要素長］１０」とコマンド「ＣｒｅａｔｅＭｅｓｈ，１０」が、指定解析作業に登録されている他の端末装置１０Ｂ，１０Ｃ，１０Ｄに送信される。各端末装置１０Ｂ，１０Ｃ，１０Ｄでは、図２０（ｂ）に端末装置１０Ｃを代表して示すように、受信したメッシュ作成情報のコマンド名とそのコマンドが設定履歴領域Ｍ５に履歴として追加され、履歴メモリ部６４に保存される。そして、このコマンドに従い、端末装置１０Ａが作成したメッシュと同一のメッシュを作成する。因みに、図２０（ｃ）は実際にメッシュを作成したモデル画面１００の状態を示している。
【００６０】
（４）操作権限の開放
ここで、端末装置１０Ａの操作者が、図２１（ａ）に示す同時作業画面２００Ｑの操作権解除ボタンＭ４を操作して操作権限を開放すると、図２１（ｂ）に示すように、端末装置１０Ａの同時作業画面２００Ｑの操作権取得ボタンＭ３が操作可能表示となり、操作権解除ボタンＭ４がグレーアウト表示となって操作不可となる。また、操作権者領域Ｍ２に表示されていた「端末装置１０Ａ操作中」が消去される。またこのとき、操作権解除ボタンＭ４を操作したことを示す操作コマンドが、指定解析作業に登録されている他の端末装置１０Ｂ，１０Ｃ，１０Ｄに送信される。
【００６１】
一方、操作権解除ボタンＭ４の操作コマンドを受信した他の端末装置１０Ｂ，１０Ｃ，１０Ｄの同時作業画面２００Ｒは、図２１（ｃ）に端末装置１０Ｃを代表して示すように、操作権者領域Ｍ２に表示されていた「端末装置１０Ａ操作中」が消去され、グレーアウト状態であった操作権取得ボタンＭ３が操作可能表示となる。すなわち、この段階では、全ての端末装置１０Ａ，１０Ｂ，１０Ｃ，１０Ｄが操作権限を取得可能な状態となっている。
【００６２】
（５）操作権限の取得
ここで、端末装置１０Ｂの操作者が、図２２（ａ）に示す操作権取得ボタンＭ３を操作すると、同図（ｂ）に示すように、端末装置１０Ｂの同時作業画面２００Ｓには、操作権者領域Ｍ２に「端末装置１０Ｂ操作中」と表示され、操作権取得ボタンＭ３がグレーアウト表示となって操作不可となり、操作権解除ボタンＭ４が操作可能表示となる。また、操作権取得ボタンＭ３を操作したことを示す操作コマンドが、指定解析作業に登録されている他の端末装置１０Ａ，１０Ｃ，１０Ｄに送信される。
【００６３】
一方、操作権取得ボタンＭ３の操作コマンドを受信した他の端末装置１０Ａ，１０Ｃ，１０Ｄの各同時作業画面には、図２２（ｃ）に端末装置１０Ｃの同時作業画面２００Ｔを代表して示すように、操作権者領域Ｍ２に「端末装置１０Ｂ操作中」と表示され、操作権取得ボタンＭ３と操作権解除ボタンＭ４とがともにグレーアウト表示となって操作不可となる。
【００６４】
（６）端末装置１０Ｄが同時作業から抜ける
この段階で、端末装置１０Ｄがこの同時作業環境から抜けるものとする。すなわち、端末装置１０Ｄの作業者は、その後独自に条件設定等を行って解析作業を進めることになる。端末装置１０Ｄが抜けたことの情報は、他の端末装置１０Ａ，１０Ｂ，１０Ｃに送信される。これにより、他の端末装置１０Ａ，１０Ｂ，１０Ｃの同時作業画面の接続状況領域Ｍ１から端末装置１０Ｄが消えることになる。すなわち、端末装置１０Ａの接続状況領域Ｍ１には、「端末装置１０Ｂ接続、端末装置１０Ｃ接続」と表示され、端末装置１０Ｂの接続状況領域Ｍ１には、「端末装置１０Ａ接続、端末装置１０Ｃ接続」と表示され、端末装置１０Ｃの接続状況領域Ｍ１には、「端末装置１０Ａ接続、端末装置１０Ｂ接続」と表示される。
【００６５】
（７）条件設定１
端末装置１０Ｂの作業者は、解析内容に応じた解析条件の設定を行う。このとき、端末装置１０Ｂには、図２３（ａ）に示すように、解析条件を設定した時点で、設定履歴領域Ｍ５に条件設定情報のコマンド名とコマンドが履歴として追加され、履歴メモリ部６４に保存される。そして、この条件設定情報のコマンド名「［負荷条件］［面圧：面番号］４，５［面圧：圧力値］５」とコマンド［ＰｒｅｓｓＳｕｒｆａｃｅ，４．５，５」が、指定解析作業に登録されている他の端末装置１０Ａ，１０Ｃに送信される。各端末装置１０Ａ，１０Ｃでは、図２３（ｂ）に端末装置１０Ｃを代表して示すように、受信した条件設定情報のコマンド名とそのコマンドが設定履歴領域Ｍ５に履歴として追加され、履歴メモリ部６４に保存される。そして、このコマンドに従い、端末装置１０Ｂが設定した条件と同一条件を設定する。因みに、図２３（ｃ）は実際に条件設定したモデル画面１００の状態を示している。
【００６６】
（８）条件設定２
本実施形態では、ここで操作権限を有しない端末装置１０Ｃの作業者が単独で、さらに条件設定を行うものとする。
【００６７】
すなわち、端末装置１０Ｃの操作者は、解析内容に応じたさらなる解析条件の設定を行う。このとき、端末装置１０Ｃには、図２４（ａ）に示すように、解析条件を設定した時点で、設定履歴領域Ｍ５に条件設定情報のコマンド名とコマンドが履歴として追加され、履歴メモリ部６４に保存される。ただし、端末装置１０Ｃは操作権限を有しないので、この条件設定情報のコマンド名とコマンドは、他の端末装置１０Ａ，１０Ｂには送信されない。つまり、図２４（ｂ）に端末装置１０Ｂを代表して示すように、設定履歴領域Ｍ５には追加されない。
【００６８】
（９）ソルバー計算実行（解析実行）
端末装置１０Ｂの作業者は、ソルバー計算を実行すると、ソルバー計算を行った時点でその履歴が設定履歴領域Ｍ５に追加表示され、履歴メモリ部６４に保存される。また、ソルバー計算の実行指示コマンドが、指定解析作業に登録されている他の端末装置１０Ａ，１０Ｃに送信される。
【００６９】
他の端末装置１０Ａ，１０Ｃは、この実行指示コマンドに従い、自らのソルバーにて計算を行い、その履歴を設定履歴領域Ｍ５に追加表示するとともに、履歴メモリ部６４に保存する。
【００７０】
なお、同時作業環境からすでに抜けている端末装置１０Ｄの作業者は、その後、独自に条件設定をしてソルバー計算を実行することで、他の端末装置１０Ａ，１０Ｂ，１０Ｃとは異なった解析結果を取得することになる。また、同時作業環境にある端末装置１０Ｃも、他の端末装置１０Ａ，１０Ｂとは異なる独自の条件設定（条件設定２）を追加していることから、異なった解析結果を取得することになる。
【００７１】
（１０）同時作業環境の終了
解析作業が終了すると、各端末装置１０Ａ，１０Ｂ，１０Ｃは、自装置での解析作業が終了した旨の通知を他の端末装置に送信する。そして、解析作業の終了通知を受信後、各端末装置１０Ａ，１０Ｂ，１０Ｃの作業者は、必要に応じ他の端末装置の操作者とメッセージの交換等を行って解析結果を確認した後、分担作業を終了して、この同時作業環境から抜ける。ただし、終了するのはネットワークでの同時作業のみであり、その後のレポート作成などは引き続き各端末装置ごとに行うことになる。
【００７２】
以上が、本実施形態に係わるＣＡＥ解析の処理動作の実施例１の説明である。
【００７３】
＜本実施形態に係わるＣＡＥ解析の処理動作の実施例２の説明＞
本実施例２では、ＣＡＥ解析を図１に示す２台の端末装置１０Ａ，１０Ｂによって作業分担しながら実行する実施例である。
【００７４】
事前準備として、各端末装置１０Ａ，１０Ｂには、本発明のＣＡＥ解析処理プログラムがインストールされており、同一のモデルファイルが保存されている。
【００７５】
また、各端末装置の想定状況は次の通りである。（ａ）端末装置１０Ａの作業者が最初に解析作業を開始する。（ｂ）端末装置１０Ｂの作業者は端末装置１０Ａによるメッシュ作業終了時に途中で参加する。（ｃ）端末装置１０Ａ，１０Ｂの各作業者はそれぞれ条件設定の異なる解析を行う。
【００７６】
上記の条件に従って、以下、本実施例２に係わるＣＡＥ解析の処理手順について順次説明する。
【００７７】
（１）解析モデルの読み込み
端末装置１０Ａの作業者は、本システムを立ち上げて、解析作業名を決定し、通信ネットワークＮに接続する。すなわち、ネットワーク上の指定解析作業に端末装置１０Ａを登録する。ここで、端末装置１０Ａの作業者は、システムの立ち上げ時に操作権限を自装置に設定する。すなわち、同時作業画面において操作権取得ボタンを操作する。これにより、端末装置１０Ａの同時作業画面は、接続状況領域に「端末装置１０Ａ接続」と表示され、操作権者領域に「端末装置１０Ａ操作中」と表示され、操作権取得ボタンがグレーアウト表示となって操作不可となり、操作権解除ボタンが操作可能表示となる。
【００７８】
この後、端末装置１０Ａの作業者は、解析モデルを読み込む。このとき、端末装置１０Ａには、解析モデルを読み込んだ時点で、設定履歴領域にモデル読み込み情報のコマンド名とコマンドが履歴として追加され、履歴メモリ部６４に保存される。
【００７９】
（２）メッシュの作成
次に、端末装置１０Ａの作業者は、メッシュの作成を行う。このとき、端末装置１０Ａには、メッシュを作成した時点で、設定履歴領域にメッシュ作成情報のコマンド名とコマンドが履歴として追加され、履歴メモリ部６４に保存される。
【００８０】
（３）同時作業スタート
ここで、端末装置１０Ｂの作業者が本システムを立ち上げ、端末装置１０Ａが指定している解析作業に参加する。すなわち、ネットワーク上の指定解析作業に端末装置１０Ｂを登録する。これにより、この時点で両端末装置１０Ａ，１０Ｂによる同時作業環境が確立される。
【００８１】
端末装置１０Ａは、この時点で操作権取得ボタンを取得している旨の通知を端末装置１０Ｂに送信する。端末装置１０Ｂの同時作業画面には、接続状況領域に「端末装置１０Ａ接続」と表示され、操作権者領域に「端末装置１０Ａ操作中」と表示され、操作権取得ボタンと操作権解除ボタンとがともにグレーアウト表示となって操作不可となる。
【００８２】
（４）端末装置１０Ｂへ履歴ログの送信
端末装置１０Ａは、履歴メモリ部６４に保存している解析対象モデルの現在までのログ（コマンド名とコマンド）を格納したログファイル（操作履歴ファイル）を端末装置１０Ｂに送信する。端末装置１０Ｂは、受信したログファイルに従って、端末装置１０Ａと同一の解析モデルの読み込み、及び端末装置１０Ａと同一のメッシュ作成を実施（再現）する。すなわち、このログファイルを利用することで、途中で参加した端末装置１０Ｂにおいても、端末装置１０Ａと同じ現在の作業状況を容易に再現することができる。
【００８３】
（５）操作権限の開放
ここで、端末装置１０Ａの操作者が、同時作業画面の操作権解除ボタンを操作して操作権限を開放すると、端末装置１０Ａの同時作業画面の操作権取得ボタンが操作可能表示となり、操作権解除ボタンがグレーアウト表示となって操作不可となる。また、操作権者領域に表示されていた「端末装置１０Ａ操作中」が消去される。
【００８４】
またこのとき、操作権解除ボタンを操作したことを示す操作コマンドが、指定解析作業に登録されている他方の端末装置１０Ｂに送信される。操作権解除ボタンの操作コマンドを受信した端末装置１０Ｂの同時作業画面は、操作権者領域に表示されていた「端末装置１０Ａ操作中」が消去され、グレーアウト状態であった操作権取得ボタンが操作可能表示となる。すなわち、この段階では、両端末装置１０Ａ，１０Ｂが操作権限を取得可能な状態となる。
【００８５】
（６）条件設定
端末装置１０Ａの作業者は、解析内容に応じた解析条件の設定を独自に行う。このとき、端末装置１０Ａには、解析条件を設定した時点で、設定履歴領域に条件設定情報のコマンド名とコマンドが履歴として追加され、履歴メモリ部６４に保存される。
【００８６】
同様に、端末装置１０Ｂの作業者は、解析内容に応じた解析条件の設定を独自に行う。このとき、端末装置１０Ｂには、解析条件を設定した時点で、設定履歴領域に条件設定情報のコマンド名とコマンドが履歴として追加され、履歴メモリ部６４に保存される。
【００８７】
この場合、両端末装置１０Ａ，１０Ｂはともに操作権限を有していないため、互いの条件設定のログが他方の端末装置へ送信されることはない。
【００８８】
（７）操作権限の取得
ここで、端末装置１０Ａの操作者が、同時作業画面の操作権取得ボタンを操作すると、端末装置１０Ａの同時作業画面には、操作権者領域に「端末装置１０Ａ操作中」と表示され、操作権取得ボタンがグレーアウト表示となって操作不可となり、操作権解除ボタンが操作可能表示となる。また、操作権取得ボタンを操作したことを示す操作コマンドが、指定解析作業に登録されている他方の端末装置１０Ｂに送信される。
【００８９】
一方、操作権取得ボタンの操作コマンドを受信した他方の端末装置１０Ｂの同時作業画面には、操作権者領域に「端末装置１０Ａ操作中」と表示され、操作権取得ボタンと操作権解除ボタンとがともにグレーアウト表示となって操作不可となる。
【００９０】
（８）ソルバー計算実行（解析実行）
端末装置１０Ａの作業者は、ソルバー計算を実行すると、ソルバー計算を行った時点でその履歴が設定履歴領域に追加表示され、履歴メモリ部６４に保存される。また、ソルバー計算の実行指示コマンドが、指定解析作業に登録されている端末装置１０Ｂに送信される。
【００９１】
端末装置１０Ｂは、この実行指示コマンドに従い、自らのソルバーにて計算を行い、その履歴を設定履歴領域に追加表示するとともに、履歴メモリ部６４に保存する。
【００９２】
なお、両端末装置１０Ａ，１０Ｂは異なる独自の条件設定を行っているので、異なった解析結果を取得することになる。
【００９３】
（９）同時作業環境の終了
解析作業が終了すると、各端末装置１０Ａ，１０Ｂは、自装置での解析作業が終了した旨の通知を他方の端末装置に送信する。そして、解析作業の終了通知を受信後、各端末装置１０Ａ，１０Ｂの作業者は、必要に応じ他方の端末装置の操作者とメッセージの交換等を行って解析結果を確認した後、分担作業を終了して、この同時作業環境から抜ける。ただし、終了するのはネットワークでの同時作業のみであり、その後のレポート作成などは引き続き各端末装置ごとに行うことになる。
【００９４】
以上が、本実施形態に係わるＣＡＥ解析の処理動作の実施例２の説明である。
【００９５】
なお、上記実施例１，２では、操作権限を解除した状態で各端末装置が各種の操作を行った場合には、その操作コマンドは他の端末装置に送信されない構成としているが、このように各端末装置が操作権限無しで単独で行った操作コマンドも他の端末装置に送信可能としてもよい。このように、操作権限無しでも操作コマンドの相互送信を可能とすることで、より柔軟な対応が可能になるといったメリットがある。
【００９６】
以上説明したＣＡＥ解析ナビゲーションシステムは、共通の解析対象物について共通に適用されるＣＡＥ解析の解析手順を各端末装置間で同時にかつ連係して順次実行するためのＣＡＥ解析処理プログラムによって実現されている。本発明の対象とするのは、このプログラムそのものであってもよいし、このプログラムがコンピュータで読み取り可能な記録媒体に格納されているものであってもよい。
【００９７】
本発明では、この記録媒体として、例えばＲＯＭのようなものそのものがプログラムメディアであってもよいし、また、図示していない外部記憶装置としてプログラム読み取り装置が設けられ、そこに記録媒体を挿入することで読み取り可能なプログラムメディアであってもよい。
【００９８】
ここで、上記プログラムメディアとしては、本体と分離可能に構成される記録媒体であって、ＦＤ（フレキシブルディスク）やＨＤ（ハードディスク）等の磁気ディスク系、ＣＤ−ＲＯＭ／ＭＯ／ＭＤ／ＤＶＤ等の光ディスク系、ＩＣカード／光カード等のカード系、マスクＲＯＭ、ＥＰＲＯＭ、ＥＥＰＲＯＭ、フラッシュＲＯＭ等による半導体メモリ系などがある。
【００９９】
また、本発明においては、インターネットを含む通信ネットワークと接続可能なシステム構成となっているため、通信ネットワークからプログラムをダウンロードするように流動的にプログラムを保持する記録媒体であってもよい。
【０１００】
なお、上記実施形態では、ＣＡＥ解析として構造解析の場合を例示しているが、熱流体解析や電磁場解析など、さまざまな解析分野に本発明を適用可能である。
【産業上の利用可能性】
【０１０１】
本発明は、上記のようなＣＡＥ解析に限らず、建築、回路図等の設計支援システムであるＣＡＤ（Computer Aided Engineering)の分野や、このＣＡＤを使って設計したデータを利用した製造支援システムであるＣＡＭ(Computer Aided Manufacturing)の分野、ＰＬＭ(Products Lifecycle Manegement)、ＰＤＭ(Product Data Management)、知的財産管理システム等の管理システムなどにおいて、コンピュータ支援による各種作業手順のナビゲーションシステムとして利用可能なものである。
【図面の簡単な説明】
【０１０２】
【図１】本発明のＣＡＥ解析ナビゲーションシステムのシステム構成を示すイメージ図である。
【図２】図１に示すＣＡＥ解析ナビゲーションシステムにおける端末装置の一実施形態を概念的に示したブロック図である。
【図３】表示部に表示されるモデル画面と同時作業画面の基本的配置構成例を示す説明図である。
【図４】モデル画面と同時作業画面の他の配置構成例を示す説明図である。
【図５】データベースを開いたときの初期画面例を示す説明図である。
【図６】解析種類選択画面例を示す説明図である。
【図７】境界条件のケース数入力画面例を示す説明図である。
【図８】構造解析の場合の解析手順表示画面例を示す説明図である。
【図９】解析モデル選択画面例を示す説明図である。
【図１０】形状作成画面例を示す説明図である。
【図１１】ＣＡＤファイル選択画面例を示す説明図である。
【図１２】ＣＡＤファイル選択画面例を示す説明図である。
【図１３】ＣＡＤファイル選択画面例を示す説明図である。
【図１４】モデル確認画面例を示す説明図である。
【図１５】解析手順表示画面例を示す説明図である。
【図１６】メッシュ分割画面例を示す説明図である。
【図１７】端末装置における同時作業画面の構成例を示す説明図である。
【図１８】解析作業スタート時の各端末装置の同時作業画面の表示例を示す説明図である。
【図１９】解析モデル読み込み時の各端末装置の同時作業画面の表示例を示す説明図である。
【図２０】メッシュ作成時の各端末装置の同時作業画面及びモデル画面の表示例を示す説明図である。
【図２１】操作権限開放時の各端末装置の同時作業画面の表示例を示す説明図である。
【図２２】操作権限取得時の各端末装置の同時作業画面の表示例を示す説明図である。
【図２３】条件設定時の各端末装置の同時作業画面の表示例を示す説明図である。
【図２４】条件設定時の各端末装置の同時作業画面の表示例を示す説明図である。
【符号の説明】
【０１０３】
１  表示部
２  入力部
３  画面表示プログラム格納部
４  解析ノウハウ格納部
５  解析計算処理部
６  プリポスト
６１  演算部
６２  解析情報ファイル部
６３  解析結果ファイル部
６４  履歴メモリ部
７  ネットワークＩ／Ｆ
８  対話型制御部
８１  汎用解析手順ファイル部
８２  解析ノウハウ入出力部８２
９  ホストコンピュータ
１０（１０Ａ，１０Ｂ，１０Ｃ，１０Ｄ）  端末装置
Ｍ１  操作状況領域
Ｍ２  操作権者領域
Ｍ３  操作権取得ボタン
Ｍ４  操作権解除ボタン
Ｍ５  設定履歴領域
Ｍ６  チャット領域
Ｍ７  返信ボタン
Ｎ  通信ネットワーク
【図１】
2007304690.tif 000003
【図２】
2007304690.tif 000004
【図３】
2007304690.tif 000005
【図４】
2007304690.tif 000006
【図５】
2007304690.tif 000007
【図６】
2007304690.tif 000008
【図７】
2007304690.tif 000009
【図８】
2007304690.tif 000010
【図９】
2007304690.tif 000011
【図１０】
2007304690.tif 000012
【図１１】
2007304690.tif 000013
【図１２】
2007304690.tif 000014
【図１３】
2007304690.tif 000015
【図１４】
2007304690.tif 000016
【図１５】
2007304690.tif 000017
【図１６】
2007304690.tif 000018
【図１７】
2007304690.tif 000019
【図１８】
2007304690.tif 000020
【図１９】
2007304690.tif 000021
【図２０】
2007304690.tif 000022
【図２１】
2007304690.tif 000023
【図２２】
2007304690.tif 000024
【図２３】
2007304690.tif 000025
【図２４】
2007304690.tif 000026